(57)【特許請求の範囲】
【請求項１】
上階床2と下階床1との間に設けられた階段4の途中が接続される中間床3を有し、この中間床3の下方に低天井収納空間6が設けられ、当該低天井収納空間6に隣接して脱臭・除菌機能付き収納室14を設けた建物であって、
前記脱臭・除菌機能付き収納室14は、当該収納室14を構成する一方の壁19aが玄関17の土間床面17aから上階床2まで達しており、他方の壁である仕切壁16bは低天井収納空間6の床表面7aから上階床2まで達しており、
この脱臭・除菌機能付き収納室14と前記低天井収納空間6が、当該低天井空間6の仕切り壁16bに設けられた第１建具16によって連通可能であり、
前記脱臭・除菌機能付き収納室14と玄関17が前記収納室14を構成する一方の壁19aと低天井収納空間6の壁19bの間に設けられた第２建具18によって連通可能であり、
前記脱臭・除菌機能付き収納室14に隣接して前記玄関17に連通する部屋または廊下20が配置されるとともに、これら脱臭・除菌機能付き収納室14と部屋または廊下20が、前記低天井収納空間6の仕切り壁16bと前記収納室14の一方の壁19aの間に設けられた第３建具21によって連通可能であることを特徴とする建物。
【請求項２】
請求項１に記載の建物において、
前記低天井収納空間6の床面の一部が下階の床面より低い低床面7aとなっており、この低床面7aと、前記脱臭・除菌機能付き収納室14の床面14aと、前記玄関17の土間床面17aとが連続し、かつ略面一であることを特徴とする建物。
【請求項３】
請求項２に記載の建物において、
前記低天井収納空間6は、前記低床面7aを有する第１低天井収納空間7と、前記低床面以外の床面8aを有する第２低天井収納空間8とを備え、
前記第２低天井収納空間8の床面8aが、前記低天井収納空間6と隣接する部屋10の床面10aとほぼ面一であり、
前記第２低天井収納空間8と前記部屋10とを仕切る壁に開口部11が設けられていることを特徴とする建物。
【発明の詳細な説明】
【技術分野】
【０００１】
本発明は、上階へ至る階段と下階へ至る階段が接続される中間床を有し、この中間床の下方に低天井収納空間が設けられた建物に関する。
【背景技術】
【０００２】
下階床部と、上階床部とを連結すると共に、中間部に踊り場が形成された階段を有する建物の一例として、特許文献１に記載のものが知られている。
この建物では、踊り場の階段昇降方向と平面視で平行する辺に、該踊り場と略同一高さとして、該踊り場と連設される中間床部を設け、該中間床部の下方に、下階床部の床面よりも低い位置に床面を有する中間床下空間が設けられていて、該建物の玄関土間部と、前記中間床下空間とが連通している。
このような建物では、玄関土間部と、中間床下空間とが連通して、該玄関土間を介して、建物の外部から、該中間床下空間へ往来を行う際のアクセス性が良好であるので、外部用品をそのまま中間床下空間に収納することができる。
【０００３】
また、除菌機能を有する衣服収納ロッカーの一例として、特許文献２に記載のものが知られている。
この衣服収納ロッカーは、金属製ロッカー本体と、ロッカー本体の底部に配設された赤外線ヒータと、ロッカー本体の底部に配設され、前記赤外線ヒータの熱を吹き上げるための送風機と、ロッカー本体の中段に設けられた衣服収納空間と、ロッカー本体の天井部に設けられ、前記衣服収納空間を通過して衣服収納空間内の衣服を乾燥した温風を吸引する吸引部と、吸引部に設けられ、吸引された温風を殺菌する殺菌部と、殺菌部を通過した熱風が流入するタンクとで構成されたものである。
このような衣服収納ロッカーでは、衣服をロッカー本体に収納するだけで除菌が可能となる。
【先行技術文献】
【特許文献】
【０００４】
【特許文献１】特開２００８−７５４２９号公報
【特許文献２】特開２０００−７００５５号公報
【発明の概要】
【発明が解決しようとする課題】
【０００５】
しかしながら、上記従来の建物では、玄関土間部に連通する中間床下空間が低天井のため、外出先から帰宅した住人等がコート等の上下に長い衣類を収納したり、着替えたりするのには不向きであった。また、中間床下空間に比較的上下に短い衣類を収納することは可能であるが、中間床下空間には汚れた外部の空気に触れた外部用品をそのまま収納しているため、中間床下空間に収納した衣類が外部の汚れた空気に汚染され易いという問題もある。
一方、上記従来の除菌機能を有する衣服収納ロッカーは居室内に設置するために、外部の汚れた空気を居室内に持ち込まざるを得ず、衛生面で問題があった。
【０００６】
本発明は上記事情に鑑みてなされたもので、外出先から玄関に帰宅した住人等が居室等に衣類を持ち込むことなく、当該衣類を容易に収納したり着替えることができるとともに外部用品を容易に収納でき、さらに収納した衣類等を脱臭・除菌できる機能を備えた建物を提供することを課題としている。
【課題を解決するための手段】
【０００７】
上記の課題を解決するために、本願発明は、上階床2と下階床1との間に設けられた階段4の途中が接続される中間床3を有し、この中間床3の下方に低天井収納空間6が設けられ、当該低天井収納空間6に隣接して脱臭・除菌機能付き収納室14を設けた建物であって、前記脱臭・除菌機能付き収納室14は、当該収納室14を構成する一方の壁19aが玄関17の土間床面17aから上階床2まで達しており、他方の壁である仕切壁16bは低天井収納空間6の床表面7aから上階床2まで達しており、この脱臭・除菌機能付き収納室14と前記低天井収納空間6が、当該低天井空間6の仕切り壁16bに設けられた第１建具16によって連通可能であり、前記脱臭・除菌機能付き収納室14と玄関17が前記収納室14を構成する一方の壁19aと低天井収納空間6の壁19bの間に設けられた第２建具18によって連通可能であり、前記脱臭・除菌機能付き収納室14に隣接して前記玄関17に連通する部屋または廊下20が配置されるとともに、これら脱臭・除菌機能付き収納室14と部屋または廊下20が、前記低天井収納空間6の仕切り壁16bと前記収納室14の一方の壁19aの間に設けられた第３建具21によって連通可能であることを特徴としています。
【発明の効果】
【００１８】
本発明によれば、低天井収納空間に隣接して、脱臭機能と除菌機能を有しかつ下階と天井高が等しい脱臭・除菌機能付き収納室が配置され、この脱臭・除菌機能付き収納室と前記低天井収納空間とが第１建具によって連通可能であり、脱臭・除菌機能付き収納室に隣接して玄関が配置されるとともに、これら脱臭・除菌機能付き収納室と玄関とが第２建具によって連通可能であり、脱臭・除菌機能付き収納室と前記玄関に連通する部屋または廊下とが第３建具によって連通可能であるので、玄関から第２建具を通って脱臭・除菌機能付き収納室に入り、この脱臭・除菌機能付き収納室でコート等の衣類を脱いで収納することができ、居室等の部屋に持ち込まなくても済み、また、靴、自転車、アウトドア用品等は、脱臭・除菌機能付き収納室から第１建具を通して、低天井収納空間に収納できる。
したがって、外部の汚れた空気を居室等の部屋に持ち込む量を軽減できる。
また、脱臭・除菌機能付き収納室からコート等の衣類を脱いだ状態でそのまま第３建具を通って部屋または廊下に入ることができ、さらに、第１〜第３建具の開閉を調整することによって、脱臭・除菌機能付き収納室の脱臭・除菌効果を調整できる。
【図面の簡単な説明】
【００１９】
【図１】本発明に係る建物の第１の実施の形態を示すもので、１階の平面図である。
【図２】同、２階の平面図である。
【図３】同、縦断面図である。
【図４】本発明に係る建物の第２の実施の形態を示すもので、１階の要部の平面図である。
【図５】同、中間階の要部の平面図である。
【図６】同、階段付近の要部の断面図である。
【図７】本発明に係る建物の第３の実施の形態を示すもので、１階の要部の平面図である。
【図８】本発明に係る建物の第４の実施の形態を示すもので、１階の要部の平面図である。
【図９】同、中間階の要部の平面図である。
【発明を実施するための形態】
【００２０】
以下、図面を参照して本発明に係る建物の実施の形態について説明する。
（第１の実施の形態）
図１〜図３は、第１の実施の形態を示すもので、図１は建物の１階の平面図、図２は２階の平面図、図３は縦断面図である。
図３に示すように、１階の床である下階床１と、２階の床である上階床２との間には中間床３が設けられている。この中間床３は、図２に示すように、踊り場４ａと、この踊り場４ａに連通する中間部屋５の床を構成している。そして、この踊り場４ａに下階床１と上階床２との間に設けられた階段４の途中が接続されている。
【００２１】
前記中間床３の下方には、図１および図３に示すように、低天井収納空間６が設けられている。この低天井収納空間６は天井高さが０．９ｍ〜１．４ｍ程度となっている。
低天井収納空間６は、図１に示すように、低床面７ａを有する第１低天井収納空間７と、低床面７ａ以外の床面８ａを有する第２低天井収納空間８とを備えている。第２低天井収納空間８の床面８ａは、低天井収納空間６と隣接する部屋（食堂）１０の床面１０ａとほぼ面一である。なお、第１低天井収納空間７には、その壁面に沿って収納棚７ｂが設けられている。第１低天井収納空間７は、前記踊り場４ａの下方に設けられており、その低床面７ａは１階の床面１０ａより１段低くなっている。
また、第２低天井収納空間８と部屋（食堂）１０とを仕切る壁には、開口部１１が設けられており、この開口部１１は引違い式の引戸１２によって開閉可能となっている。
【００２２】
また、第１低天井収納空間７に隣接して、脱臭・除菌機能付き収納室１４が配置されている。この脱臭・除菌機能付き収納室１４は脱臭・除菌機能を有しかつ下階（１階）と天井高が等しくなっている。脱臭・除菌機能付き収納室１４の内壁には、脱臭・除菌機能を備えた空調機１５が取り付けられている。この空調機１５は、例えば、脱臭・除菌効果のあるイオン送風機と、湿度センサ付き換気扇によって構成されており、臭いの付着した衣類や菌の付着した衣類を脱臭・除菌機能付き収納室１４に収納するだけで、臭いや菌を部屋に持ち込まないようになっている。また、イオン送風機は、所定の水分（湿度）がないと有効に機能しないことから、換気扇を連動運転させると、イオン送風機の効果がないまま乾燥してしまうため、前記湿度センサによって、適正な湿度（所定の湿度）が保たれるようにセンシングして換気扇を自動運転するようになっている。
また、脱臭・除菌機能付き収納室１４と第１低天井収納空間７とは第１建具１６によって連通可能である。すなわち、脱臭・除菌機能付き収納室１４と第１低天井収納空間７とを仕切る壁１６ｂには開口部１６ａが形成されており、当該壁１６ｂには開口部１６ａを開閉する第１建具１６としての引戸１６,１６が設けられている。したがって、引戸１６,１６を開けることによって、脱臭・除菌機能付き収納室１４と第１低天井収納空間７とが連通するようになっている。なお、開口部１６ａの上辺の高さは床面から０．９ｍ〜１．４ｍ程度となっている。
【００２３】
また、前記脱臭・除菌機能付き収納室１４に隣接して玄関１７が配置されており、当該玄関１７と脱臭・除菌機能付き収納室１４とは第２建具１８によって連通可能となっている。
すなわち、玄関１７に設けられた壁１９ａの一端部（南側の端部）と、これに対向する壁１９ｂの間を通って玄関１７と脱臭・除菌機能付き収納室１４との行き来を行えるようになっており、壁１９ｂに第２建具１８としての折戸１８が取り付けられている。したがって、この折戸１８を開けることによって、玄関１７と脱臭・除菌機能付き収納室１４とが連通可能となっている。
また、脱臭・除菌機能付き収納室１４と、玄関１７に連通する廊下２０とが第３建具２１によって連通可能である。
すなわち、前記壁１６ｂの他端部（北側の端部）と、これに対向する壁１９ａの端部との間を通って脱臭・除菌機能付き収納室１４と廊下２０との行き来を行えるようになっており、壁１６ｂに第３建具２１としての折戸２１が取り付けられている。したがって、この折戸２１を開けることによって、脱臭・除菌機能付き収納室１４と廊下２０とが連通可能となっている。
廊下２０の東側の端部は玄関ホールに連通しており、西側の端部は前記食堂（部屋）１０と連続する居間２６に連通している。なお、食堂１０と居間２６によってリビングダイニング２７を構成している。また、この居間２６に西側に洗面室、浴室、トイレ等の水廻り系の部屋が配置されている。
【００２４】
前記低天井収納空間６の床面の一部、すなわち、第１低天井収納空間７の低床面７ａと、脱臭・除菌機能付き収納室１４の床面１４ａと、玄関１７の土間床面１７ａとは連続しており、かつ略面一である。
また、第１低天井収納空間７に隣接している第２低天井収納空間８の床面８ａは第１低天井収納空間７の低床面７ａより１段高くなっており、第１低天井収納空間７と第２低天井収納空間８とを仕切る壁に設けられた開口部を通って行き来できるようになっている。
【００２５】
前記第２低天井収納空間８に連通して第３低天井収納空間２３が設けられている。この第３低天井収納空間２３を形成する壁は、建物の部屋１０の南側の外壁より突出した外壁２４となっていて、玄関ポーチに隣接している。この突出した平面視略コ字形の外壁２４の内側に第３低天井収納空間２３が設けられている。
第３低天井収納空間２３の床面２３ａは、第２低天井収納空間８の床面８ａより１段低くなっており、玄関１７の土間床面１７ａや玄関ポーチの床面と面一になっている。前記外壁２４には、掃き出し窓２５が設けられており、この掃き出し窓２５を開けて、第３低天井収納空間２３と外部とが行き来できるようになっている。
また、第３低天井収納空間２３の左右の幅は、第２低天井収納空間８の左右の幅と等しくなっている。そして、第２低天井収納空間８と部屋（食堂）１０とを仕切る壁に設けられた開口部１１を開閉する引戸１２が第３低天井収納空間２３に引き込み可能となっている。つまり、引戸１２が前記平面視コ字形の外壁２４の西側の外壁の内面に沿って引き込み可能となっている。これによって、開口部１１は全開口できるようになっている。
【００２６】
前記リビングダイニング２７には、図３に示すように、下階床１から中間部屋５の天井高さ位置まで吹き抜ける吹抜け部３０が中間部屋５に面して配置されている。すなわち、吹抜け部３０は平面視において中間部屋５に隣接しかつ連通して配置されている。この吹抜け部３０の幅は、第２低天井収納空間８の開口部１１とほぼ同幅になっており、この開口部１１は吹抜け部３０面している。
中間部屋５の床を構成する中間床３の吹抜け部３０側の端部には、透明なガラス板で構成された手摺３１が設けられている。この手摺３１の高さは上階床２の床面より低くなっている。
また、吹抜け部３０は、上階床２上の部屋である寝室３３に面している。すなわち、吹抜け部３０は平面視において寝室３３に隣接しかつ連通して配置されている。具体的には寝室３３と吹抜け部３０との間にある壁３４には、開口部３５が形成されており、この開口部３５によって吹抜け部３０と寝室３３とは連通している。開口部３５はその下辺部が大人の腰程度の高さに位置しており、当該開口部３５にはガラス窓が設けられている。このガラス窓は嵌め殺し式のものであるが、開閉式であってもよい。
【００２７】
なお、２階の中央部にはホール３２が階段４の下り口に面して配置されており、このホール３２から寝室３３、部屋３６ａ,３６ｂに行き来できるようになっている。
【００２８】
本実施の形態によれば、脱臭・除菌機能付き収納室１４に隣接して玄関１７が配置されるとともに、これら脱臭・除菌機能付き収納室１４と玄関１７とが第２建具１８によって連通可能であるので、外出先から帰宅した住人等は玄関１７から第２建具１８を通って脱臭・除菌機能付き収納室１４に入り、この脱臭・除菌機能付き収納室１４でコート等の衣類を脱いで収納することができ、居室等の部屋（例えばリビングダイニング２７等）に持ち込まなくても済む。
また、靴、自転車、アウトドア用品等は、脱臭・除菌機能付き収納室１４から第１建具１６を通して、低天井収納空間６の第１低天井収納空間７に収納できる。
したがって、外部の汚れた空気を居室等の部屋（例えばリビングダイニング２７等）に持ち込む量を軽減できる。
また、脱臭・除菌機能付き収納室１４と玄関１７に連通する廊下２０とが第３建具２１によって連通可能であるので、脱臭・除菌機能付き収納室１４からコート等の衣類を脱いだ状態でそのまま第３建具２１を通って廊下２０から部屋（例えばリビングダイニング２７等）に入ることができる。
さらに、第１〜第３建具の開閉を調整することによって、脱臭・除菌機能付き収納室１４の脱臭・除菌効果を調整できる。例えば、第２建具１８および第３建具２１を閉じるとともに、第１建具１６を開けることによって、脱臭・除菌効果を第１低天井収納空間７に拡げることができ、第１建具１６および第３建具２１を閉じるとともに、第２建具１８を開けることによって、脱臭・除菌効果を玄関１７に拡げることができる。
また、第１〜第３建具を閉じることによって、脱臭・除菌機能付き収納室１４の脱臭・除菌効果が低下するのを防止できる。
【００２９】
また、第１低天井収納空間７の低床面７ａと、脱臭・除菌機能付き収納室１４の床面１４ａと、玄関１７の土間床面１７ａとが連続し、かつ略面一であるので、自転車や大型収納物を玄関１７から脱臭・除菌機能付き収納室１４を通って第１低天井収納空間７に容易に出し入れできる。
また、第２低天井収納空間８の床面８ａが、低天井収納空間６と隣接する部屋１０の床面１０ａとほぼ面一であり、第２低天井収納空間８と部屋１０とを仕切る壁に開口部１１が設けられているので、部屋１０から開口部１１を通して第２低天井収納空間８に出入りでき、収納物の出し入れが容易となる。
さらに、第２低天井収納空間８と部屋１０とを仕切る壁に設けられた開口部１１に設けられた引戸１２が第３低天井収納空間２３に引き込み可能であるので、開口部１１を全開口でき、収納物の出し入れが容易となる。
【００３０】
また、下階床１から上階の天井または中間部屋５の天井高さ位置まで吹き抜ける吹抜け部３０が中間部屋５に面して配置され、下階床上の部屋１０に、平面視において、吹抜け部３０が配置されているので、下階床上の部屋１０と中間部屋５とは吹抜け部３０によって繋がった状態となる。
したがって、下階床上の部屋１０と、中間床上の中間部屋５との間で吹抜け部３０を通してコミュニケーションを容易にとることができる。
また、下階床上の部屋１０と中間部屋５との間で吹抜け部３０を通して、通風や採光を確保できるので、下階床上の部屋１０に中間部屋５から光を採り入れて、下階床上の部屋１０を明るくでき、また、下階床上の部屋１０と中間部屋５とで空気を流通させることができる。
【００３１】
（第２の実施の形態）
図４〜図６は第２の実施の形態を示すもので、図４は１階の要部の平面図、図５は中間階の要部の平面図、図６は階段付近の要部の断面図である。
図４〜図６に示す第２の実施の形態が前記第１の実施の形態と異なる点は、中間床上の空間と、脱臭・除菌機能付き収納室とを仕切る壁に第４建具が設けられている点であるので、以下ではこの点について詳しく説明し、第１の実施の形態と同一構成部分には同一符号を付してその説明を省略ないし簡略化する。
【００３２】
本実施の形態では、図４〜図６に示すように、中間床３の一部を構成する踊り場４ａに面する壁３７、つまり、踊り場４ａ上の空間と脱臭・除菌機能付き収納室１４の上部空間とを仕切る壁３７に開口部３７ａが形成されている。この開口部３７ａの下辺部は中間床３の位置とほぼ等しくなっており、上辺は２階の床の位置とほぼ等しくなっている。
また、壁３７には開口部３７ａを開閉する第４建具３８としての引戸３８が設けられている。
さらに、脱臭・除菌機能付き収納室１４の天井には、ハンガー等を掛けるハンガーパイプ３９が取り付けられている。
【００３３】
本実施の形態によれば、上階に収納された衣類やベランダ等に干してあった衣類を持って２階から階段４を下りて踊り場４ａに行き、この衣類を踊り場４ａから第４建具３８を通して脱臭・除菌機能付き収納室１４に容易に出し入れできる。
また、踊り場４ａから脱臭・除菌機能付き収納室１４に衣類等を出し入れするため、脱臭・除菌機能付き収納室１４の天井に取り付けられたハンガーパイプ３９に容易に衣類等を吊るすことができる。
【００３４】
（第３の実施の形態）
図７は第３の実施の形態を示すもので、１階の要部の平面図である。
本実施の形態においても、前記第１の実施の形態と同様に、１階の床である下階床と、２階の床である上階床との間に中間床が設けられ、この中間床は、踊り場と、この踊り場に連通する中間部屋の床を構成している。そして、この踊り場に下階床と上階床との間に設けられた階段４０（図７参照）の途中が接続されている。
【００３５】
前記中間床の下方には、図７に示すように、天井高さが０．９ｍ〜１．４ｍ程度の低天井収納空間４１が設けられている。
低天井収納空間４１は、低床面４２ａを有する第１低天井収納空間４２と、低床面４２ａ以外の床面４３ａを有する第２低天井収納空間４３とを備えている。第２低天井収納空間４３の床面４３ａは、低天井収納空間４１と隣接する部屋１０の床面１０ａとほぼ面一である。
また、第２低天井収納空間４３と部屋１０とを仕切る壁には、開口部１１が設けられており、この開口部１１は引戸１２によって開閉可能となっている。
前記第１低天井収納空間４２は、前記踊り場の一部およびこの踊り場から２階へ至る階段４０の下方に設けられており、その低床面４２ａは１階の床面１０ａより１段低くなっている。
【００３６】
また、第１低天井収納空間４２に隣接して、脱臭・除菌機能付き収納室４４が配置されている。この脱臭・除菌機能付き収納室４４は脱臭・除菌機能を有しかつ下階（１階）と天井高が等しくなっている。脱臭・除菌機能付き収納室４４の内壁には、脱臭・除菌機能を備えた空調機１５が取り付けられている。
また、脱臭・除菌機能付き収納室４４と第１低天井収納空間４２とを仕切る壁４６ｂには開口部４６ａが形成されており、当該壁には開口部４６ａを開閉する第１建具４６としての引戸４６が設けられている。したがって、引戸４６を開けることによって、脱臭・除菌機能付き収納室４４と第１低天井収納空間４２とが連通するようになっている。
【００３７】
また、前記脱臭・除菌機能付き収納室４４に隣接して玄関４７が配置されており、当該玄関４７と脱臭・除菌機能付き収納室４４とは第２建具１８によって連通可能となっている。
すなわち、玄関４７に設けられた壁４９の一端部（東側の端部）の裏側を通って玄関４７と脱臭・除菌機能付き収納室４４との行き来を行えるようになっており、壁４９の端部と対向する壁に第２建具４８としての折戸４８が取り付けられている。したがって、この折戸４８を開けることによって、玄関４７と脱臭・除菌機能付き収納室４４とが連通可能となっている。
また、脱臭・除菌機能付き収納室４４と、玄関１７に連通する部屋１０とが第３建具５１によって連通可能である。
すなわち、前記壁４６ｂの他端部（西側の端部）と、これに対向する壁４９の間を通って脱臭・除菌機能付き収納室４４と部屋１０との行き来を行えるようになっており、壁４６ｂに第３建具５１としての折戸５１が取り付けられている。したがって、この折戸５１を開けることによって、脱臭・除菌機能付き収納室４４と部屋１０とが連通可能となっている。
【００３８】
前記低天井収納空間４１の床面の一部、すなわち、第１低天井収納空間４２の低床面４２ａと、脱臭・除菌機能付き収納室４４の床面４４ａと、玄関４７の土間床面４７ａとは連続しており、かつ略面一である。
また、第１低天井収納空間４２に隣接している第２低天井収納空間４３の床面４３ａは第１低天井収納空間４２の低床面４２ａより１段高くなっており、第１低天井収納空間４２と第２低天井収納空間４３とを仕切る壁に設けられた開口部を通って行き来できるようになっている。
【００３９】
前記第２低天井収納空間４３に連通して第３低天井収納空間５３が設けられている。この第３低天井収納空間５３を形成する壁は、建物の部屋１０の南側の外壁より突出した外壁となっており、この突出した平面視略コ字形の外壁５４の内側に第３低天井収納空間５３が設けられている。
第３低天井収納空間５３の床面５３ａは、第２低天井収納空間４３の床面４３ａより１段低くなっており、玄関４７の土間床面４７ａや玄関ポーチの床面と面一になっている。前記外壁５４には、掃き出し窓５５が設けられており、この掃き出し窓５５を開けて、第３低天井収納空間５３と外部とが行き来できるようになっている。
また、第３低天井収納空間５３の左右の幅は、第２低天井収納空間４３の左右の幅と等しくなっている。そして、第２低天井収納空間４３と部屋１０とを仕切る壁に設けられた開口部１１を開閉する引戸１２が第３低天井収納空間５３に引き込み可能となっている。つまり、引戸１２が前記平面視コ字形の外壁５４の西側の外壁の内面に沿って引き込み可能となっている。これによって、開口部１１は全開口できるようになっている。
【００４０】
本実施の形態によれば、前記第１の実施の形態と同様に、外出先から帰宅した住人等は玄関４７から第２建具４８を通って脱臭・除菌機能付き収納室４４に入り、この脱臭・除菌機能付き収納室４４でコート等の衣類を脱いで収納することができ、居室等の部屋１０に持ち込まなくても済む。
また、靴、自転車、アウトドア用品等は、脱臭・除菌機能付き収納室４４から第１建具４６を通して、第１低天井収納空間４２に収納できる。
したがって、外部の汚れた空気を居室等の部屋１０等に持ち込む量を軽減できる。
また、脱臭・除菌機能付き収納室４４からコート等の衣類を脱いだ状態でそのまま第３建具５１を通って部屋１０に入ることができる。
さらに、第１〜第３建具の開閉を調整することによって、脱臭・除菌機能付き収納室４４の脱臭・除菌効果を調整できる。
【００４１】
また、第１低天井収納空間４２の低床面４２ａと、脱臭・除菌機能付き収納室４４の床面４４ａと、玄関４７の土間床面４７ａとが連続し、かつ略面一であるので、自転車や大型収納物を玄関４７から脱臭・除菌機能付き収納室４４を通って第１低天井収納空間４２に容易に出し入れできる。
さらに、部屋１０から開口部１１を通して第２低天井収納空間４３に出入りでき、収納物の出し入れが容易となる。
加えて、引戸１２が第３低天井収納空間５３に引き込み可能であるので、開口部１１を全開口でき、収納物の出し入れが容易となる。
【００４２】
（第４の実施の形態）
図８および図９は第４の実施の形態を示すもので、図８は１階の要部の平面図、図９は中間階の要部の平面図である。
本実施の形態においても、前記第１の実施の形態と同様に、１階の床である下階床と、２階の床である上階床との間に中間床３が設けられ、この中間床３は、踊り場６０ａと、この踊り場６０ａに連通する中間部屋６２の床を構成している。そして、この踊り場６０ａに下階床と上階床との間に設けられた平面視Ｌ形の階段６０の途中が接続されている。
【００４３】
前記中間床３の下方には、天井高さが０．９ｍ〜１．４ｍ程度の低天井収納空間６１が設けられている。
低天井収納空間６１は中間床上の中間部屋６２の下方に設けられており、当該低天井収納空間６１の床面の一部は、１階の部屋より１段低い低床面６１ａとなっている。
また、低天井収納空間６１に隣接して、脱臭・除菌機能付き収納室６４が配置されている。この脱臭・除菌機能付き収納室６４は脱臭・除菌機能を有しかつ下階（１階）と天井高が等しくなっている。脱臭・除菌機能付き収納室６４の内壁には、脱臭・除菌機能を備えた空調機１５が取り付けられている。
また、脱臭・除菌機能付き収納室６４と低天井収納空間６１とを仕切る壁６６ｂには開口部６６ａが形成されており、当該壁６６ｂには開口部６６ａを開閉する第１建具６６としての引戸６６が設けられている。したがって、引戸６６を開けることによって、脱臭・除菌機能付き収納室６４と低天井収納空間６１とが連通するようになっている。
【００４４】
また、前記脱臭・除菌機能付き収納室６４に隣接して玄関６７が配置されており、当該玄関６７と脱臭・除菌機能付き収納室６４とは第２建具６８によって連通可能となっている。
すなわち、玄関６７と脱臭・除菌機能付き収納室６４と仕切る壁に開口部が形成されており、この開口部に、第２建具６８としての折戸６８が取り付けられている。したがって、この折戸６８を開けることによって、玄関６７と脱臭・除菌機能付き収納室６４とが連通可能となっている。
また、脱臭・除菌機能付き収納室６４と、玄関６７に連通するホール６９とが第３建具７１によって連通可能である。
すなわち、脱臭・除菌機能付き収納室６４とホール６９とを仕切る壁に開口部が形成されており、この開口部に、第３建具７１としての折戸７１が取り付けられている。したがって、この折戸７１を開けることによって、脱臭・除菌機能付き収納室６４とホール６９とが連通可能となっている。
また、前記低天井収納空間６１の床面６１ａと、脱臭・除菌機能付き収納室６４の床面６４ａと、玄関６７の土間床面６７ａとは連続しており、かつ略面一である。
【００４５】
また、図９に示すように、中間床３の一部を構成する踊り場６０ａに面する壁７３、つまり踊り場６０ａ上の空間と脱臭・除菌機能付き収納室６４の上部空間とを仕切る壁７３に開口部７３ａが形成されている。この開口部７３ａの下辺部は中間床３の位置とほぼ等しくなっており、上辺は２階の床の位置とほぼ等しくなっている。
また、壁７３には開口部７３ａを開閉する第４建具７４としての引戸７４が設けられている。
なお、脱臭・除菌機能付き収納室６４の天井には、ハンガー等を掛けるハンガーパイプが取り付けられている。
【００４６】
本実施の形態によれば、第１の実施の形態と同様に、外出先から帰宅した住人等は玄関６７から第２建具６８を通って脱臭・除菌機能付き収納室６４に入り、この脱臭・除菌機能付き収納室６４でコート等の衣類を脱いで収納することができ、居室等の部屋に持ち込まなくても済む。
また、靴、自転車、アウトドア用品等は、脱臭・除菌機能付き収納室６４から第１建具６６を通して、低天井収納空間６１に収納できる。
したがって、外部の汚れた空気を居室等の部屋等に持ち込む量を軽減できる。
また、脱臭・除菌機能付き収納室６４からコート等の衣類を脱いだ状態でそのまま第３建具７１を通ってホール６９に入ることができる。
さらに、第１〜第３建具の開閉を調整することによって、脱臭・除菌機能付き収納室６４の脱臭・除菌効果を調整できる。
また、低天井収納空間６１の低床面６１ａと、脱臭・除菌機能付き収納室６４の床面６４ａと、玄関６７の土間床面６７ａとが連続し、かつ略面一であるので、自転車や大型収納物を玄関６７から脱臭・除菌機能付き収納室６４を通って低天井収納空間６１に容易に出し入れできる。
【００４７】
また、第２の実施の形態と同様に、上階に収納された衣類やベランダ等に干してあった衣類を持って２階から階段６０を下りて踊り場６０ａに行き、この衣類を踊り場６０ａから第４建具７４を通して脱臭・除菌機能付き収納室６４に容易に出し入れできる。
また、踊り場６０ａから脱臭・除菌機能付き収納室６４に衣類等を出し入れするため、脱臭・除菌機能付き収納室６４の天井に取り付けられたハンガーパイプに容易に衣類等を吊るすことができる。
【符号の説明】
【００４８】
１  下階床
２  上階床
３  中間床
４,４０,６０  階段
４ａ,４０ａ,６０ａ  踊り場
６,４１,６１  低天井収納空間
７,４２  第１低天井収納空間
８,４３  第２低天井収納空間
１０  部屋
１４,４４,６４  脱臭・除菌機能付き収納室
１６,４６,６６  第１建具
１７,４７,６７  玄関
１８,４８,６８  第２建具
２０  廊下
２１,５１,７１  第３建具
２３,５３  第３低天井収納空間
３８,７４  第４建具
【図１】
0005875137.tif 000002
【図２】
0005875137.tif 000003
【図３】
0005875137.tif 000004
【図４】
0005875137.tif 000005
【図５】
0005875137.tif 000006
【図６】
0005875137.tif 000007
【図７】
0005875137.tif 000008
【図８】
0005875137.tif 000009
【図９】
0005875137.tif 000010